(57)【特許請求の範囲】
【請求項１】
輝度復元信号を受信し、前記輝度復元信号に応答して、電子ディスプレイの輝度レベル
をデフォルト輝度レベルに設定する、活動モジュールと、
前記電子ディスプレイの前記輝度レベルを前記デフォルト輝度レベルから中間輝度レベ
ルへと第１の減光率で減光する、輝度減衰モジュールであって、前記中間輝度レベルは、
１つまたは複数の中間輝度レベルから選択される、輝度減衰モジュールと、
ユーザ活動がないことを示す輝度リリース信号の受信に応答して、前記電子ディスプレイの前記輝度レベルを前記中間輝度レベルで事前定義期間の間維持し、特定のユーザ活動に応答して前記デフォルト輝度レベルへと上昇させる、プラトー・モジュールと、
前記電子ディスプレイの前記輝度レベルを前記中間輝度レベルから最低輝度レベルへと第２の減光率で減光する、最低輝度モジュールと、
を備え、
前記輝度減衰モジュールは、前記活動モジュールが前記電子ディスプレイの前記輝度レベルを前記デフォルト輝度レベルへと設定することに応答して、ほぼ即時に、前記電子ディスプレイの前記輝度レベルを前記デフォルト輝度レベルから前記中間輝度レベルへと減
光することを開始する、電子ディスプレイを制御するための装置。 
【請求項２】
前記中間輝度レベル、前記デフォルト輝度レベル、前記事前定義期間、前記第１の減光
率、前記第２の減光率、および前記最低輝度レベルのうちの、少なくとも１つのカスタム
定義を受信する、構成モジュールをさらに備える、請求項１に記載の装置。 
【請求項３】
前記構成モジュールは、複数の電子ディスプレイに関するディスプレイ設定を維持する
ディスプレイ管理サーバから、ネットワークを介して前記カスタム定義を受信する、請求
項２に記載の装置。 
【請求項４】
前記構成モジュールは、ディスプレイ・データ・チャネル（「ＤＤＣ」）Inter-Integrated Circuit（「Ｉ２Ｃ」）通信バスを介して前記カスタム定義を受信する、請求項２または３に記載の装置。 
【請求項５】
前記電子ディスプレイの前記輝度レベルを前記中間輝度レベルから１つまたは複数の追
加の中間輝度レベルへとある減光率で減光し、前記電子ディスプレイの前記輝度レベルを
１つまたは複数の事前定義期間の間それぞれの前記追加の中間輝度レベルで維持する、複
数プラトー・モジュールをさらに備える、請求項１〜４のいずれか一項に記載の装置。 
【請求項６】
前記電子ディスプレイの前記輝度レベルを最高の通常使用輝度レベルよりも高い輝度レベルに一時的に設定する、輝度オーバーライド・モード・モジュールをさらに備える、請求項１〜５のいずれか一項に記載の装置。 
【請求項７】
前記輝度減衰モジュールは、前記電子ディスプレイの前記輝度レベルを前記デフォルト
輝度レベルに設定する、前記活動モジュールの前記電子ディスプレイの前記輝度レベルの
減光を、１０秒以内に開始する、請求項１〜６のいずれか一項に記載の装置。 
【請求項８】
前記活動モジュールは、ユーザ入力デバイスから前記輝度復元信号を受信する、請求項１〜７のいずれか一項に記載の装置。 
【請求項９】
前記ユーザ入力デバイスは前記電子ディスプレイのハウジング上に配設される、請求項
８に記載の装置。 
【請求項１０】
前記電子ディスプレイの前記輝度レベルを減光することは、ユーザが知覚できない離散
的増分で前記電子ディスプレイの前記輝度レベルを減光することを含む、請求項１〜９のいずれか一項に記載の装置。 
【請求項１１】
前記第１の減光率および前記第２の減光率は非線形減光率を含む、請求項１〜１０のいずれか一項に記載の装置。 
【請求項１２】
前記第１の減光率の勾配は、前記電子ディスプレイの前記輝度レベルが前記中間輝度レベルに近付くにつれて増加し、前記第２の減光率の勾配は、前記電子ディスプレイの前記
輝度レベルが前記最低輝度レベルに近付くにつれて減少する、請求項１１に記載の装置。
【請求項１３】
前記中間輝度レベルは可視輝度レベルを含み、表示される画像は前記可視輝度レベルで
ユーザが識別可能であり、さらに前記電子ディスプレイは前記最低輝度レベルでオフとなる、請求項１〜１２のいずれか一項に記載の装置。 
【請求項１４】
調整可能な輝度レベルを有する電子ディスプレイと、
前記電子ディスプレイの前記輝度レベルを設定するディスプレイ・コントローラと、
を備える、電子ディスプレイを制御するためのシステムであって、前記ディスプレイ・コ
ントローラは、
輝度復元信号を受信し、前記輝度復元信号に応答して、前記電子ディスプレイの前記輝
度レベルをデフォルト輝度レベルに設定する、活動モジュールと、
前記電子ディスプレイの前記輝度レベルを前記デフォルト輝度レベルから中間輝度レベ
ルへと第１の減光率で減光する、輝度減衰モジュールであって、前記中間輝度レベルは、
１つまたは複数の中間輝度レベルから選択される、輝度減衰モジュールと、
ユーザ活動がないことを示す輝度リリース信号の受信に応答して、前記電子ディスプレイの前記輝度レベルを前記中間輝度レベルで事前定義期間の間維持し、特定のユーザ活動に応答して前記デフォルト輝度レベルへと上昇させる、プラトー・モジュールと、
前記電子ディスプレイの前記輝度レベルを前記中間輝度レベルから最低輝度レベルへと
第２の減光率で減光する、最低輝度モジュールと、
を備え、
前記輝度減衰モジュールは、前記活動モジュールが前記電子ディスプレイの前記輝度レベルを前記デフォルト輝度レベルへと設定することに応答して、ほぼ即時に、前記電子ディスプレイの前記輝度レベルを前記デフォルト輝度レベルから前記中間輝度レベルへと減
光することを開始する、システム。 
【請求項１５】
前記電子ディスプレイに関して、および複数の追加の電子ディスプレイに関して、ディスプレイ設定を管理し、前記中間輝度レベル、前記デフォルト輝度レベル、事前記前定義
期間、前記第１の減光率、前記第２の減光率、および前記最低輝度レベルのうちの少なく
とも１つを、ネットワークを介して定義する、ディスプレイ管理サーバをさらに備える、請求項１４に記載のシステム。 
【請求項１６】
輝度復元信号を受信すること、
前記輝度復元信号に応答して、電子ディスプレイの輝度レベルをデフォルト輝度レベル
に設定すること、
前記電子ディスプレイの前記輝度レベルを、前記デフォルト輝度レベルから中間輝度レベルへと第１の減光率で減光することであって、前記中間輝度レベルは、１つまたは複数
の中間輝度レベルから選択される、減光すること、
ユーザ活動がないことを示す輝度リリース信号の受信に応答して、前記電子ディスプレイの前記輝度レベルを前記中間輝度レベルで事前定義期間の間維持し、特定のユーザ活動に応答して前記デフォルト輝度レベルへと上昇させること、
前記電子ディスプレイの前記輝度レベルを、前記中間輝度レベルから最低輝度レベルへと第２の減光率で減光すること、
を含み、
前記第１の減光率で減光することは、前記電子ディスプレイの前記輝度レベルを前記デフォルト輝度レベルへと設定することに応答して、ほぼ即時に、前記電子ディスプレイの前記輝度レベルを前記デフォルト輝度レベルから前記中間輝度レベルへと減光することを開始する、電子ディスプレイを制御するための方法。 
【請求項１７】
前記電子ディスプレイの前記輝度レベルを前記中間輝度レベルから第２の中間輝度レベ
ルへと減光すること、および、前記電子ディスプレイの前記輝度レベルを第２の事前定義
期間の間、前記第２の中間輝度レベルで維持することを、さらに含む、請求項１６に記載
の方法。 
【請求項１８】
コンピュータ読み取り可能媒体上に格納され、デジタル・コンピュータの内部メモリへ
ロード可能な、コンピュータ・プログラムであって、前記プログラムがコンピュータ上で
実行された場合、請求項１６または１７に記載の方法を実行するための、ソフ
トウェア・コード部分を含む、コンピュータ・プログラム。
【発明の詳細な説明】
【技術分野】
【０００１】
本発明は電子ディスプレイに関し、より具体的には、電子ディスプレイの輝度レベルの
制御に関する。
【背景技術】
【０００２】
電子ディスプレイは、ますます至る所で使われるようになってきている。電子ディスプレイは、コンピュータ・システム、テレビ、ガソリンスタンドのポンプ、広告、キャッシ
ュ・レジスタ、玩具、車両、電話、ハンドヘルド、および数えきれないほどの他のデバイ
スで使用される。しかしながら電子ディスプレイは、デバイスが消費する総電力の大部分
を使用する。これによってデバイスの電力コストが増加し、ポータブル・デバイスのバッ
テリ寿命が短くなる。
【０００３】
加えて、多くの電子ディスプレイは耐用年限が限られており、それ以降のディスプレイ
は、可用性の低下を示すかまたは使用不能となる場合がある。しばしば、電子ディスプレイのバックライトは、電子ディスプレイが消費する電力の大部分を使用する。バックライ
トは、使用するほど短くなっていく電子ディスプレイの耐用年限を決定するコンポーネン
トでもある可能性がある。小売業環境などの一部の環境では、電子ディスプレイは一日中
ほぼ連続して、時には２４時間休みなく使用される。この連続使用が電子ディスプレイを
消耗させ、大量の電力を消費する。ユーザも日常的に、電子ディスプレイの輝度レベルを
最大レベルに設定している。電子ディスプレイの輝度レベルが高いほど、ディスプレイが
消費する電力は多くなり、ディスプレイの動作寿命は短くなる。
【０００４】
電子ディスプレイは、時折、ユーザ構成可能なディスプレイ設定を有するが、多くの企
業が数多くの電子ディスプレイを有する。たとえば、企業は各雇用者について１台のコン
ピュータ・モニタを有する場合があり、小売りチェーン店は各店舗にいくつかのキャッシ
ュ・レジスタを有する場合があり、ガソリンスタンド・チェーン店は各ポンプに１台のデ
ィスプレイを有する場合がある。これらの電子ディスプレイの総電力消費コストは多額に
なる可能性があり、現在では、複数の電子ディスプレイにまたがって均一なディスプレイ
設定を伝搬する簡単な方法はない。
【発明の概要】
【発明が解決しようとする課題】
【０００５】
前述の考察から、電子ディスプレイの電力消費を減少させる装置、システム、および方
法が求められていることは明らかであろう。有益なことに、こうした装置、システム、お
よび方法は複数の電子ディスプレイに対して構成可能である。
【課題を解決するための手段】
【０００６】
本発明は、当分野の現状に応答して、特に、現在使用可能な電子ディスプレイ制御方法
によってまだ完全に解決されていない当分野の問題および必要性に応答して、開発されて
きた。したがって本発明は、当分野の多くのまたはすべての前述の欠点を克服する、電子
ディスプレイを制御するための装置、システム、および方法を提供するために開発されて
きた。
【０００７】
電子ディスプレイを制御するための装置には、電子ディスプレイを制御する必要なステ
ップを機能的に実行するように構成された、複数のモジュールが提供される。説明される
諸実施形態におけるこれらのモジュールは、活動モジュール、輝度減衰モジュール、プラ
トー（plateau）モジュール、最低輝度モジュール、構成モジュール、複数プラトー・モ
ジュール、および輝度オーバーライド（override）・モジュールを含むことができる。
【０００８】
一実施形態では、装置は、輝度復元信号を受信し、輝度復元信号に応答して、電子ディ
スプレイの輝度レベルをデフォルト輝度レベルに設定する、活動モジュールを含む。他の
実施形態では、装置は、電子ディスプレイの輝度レベルをデフォルト輝度レベルから中間
輝度レベルへと第１の減光率（dimming rate）で減光する、輝度減衰モジュールを含む。
中間輝度レベルは、１つまたは複数の中間輝度レベルから選択される。
【０００９】
他の実施形態では、装置は、電子ディスプレイの輝度レベルを中間輝度レベルで事前定
義期間の間維持する、プラトー・モジュールを含む。一実施形態では、事前定義期間の実
行は、プラトー・モジュールの輝度リリース（release）信号の受信に応答して開始される。さらに他の実施形態では、装置は、電子ディスプレイの輝度レベルを中間輝度レベルから最低輝度レベルへと第２の減光率で減光する、最低輝度モジュールを含む。
【００１０】
一実施形態では、装置は、中間輝度レベル、デフォルト輝度レベル、事前定義期間、第
１の減光率、第２の減光率、および最低輝度レベルのうちの、少なくとも１つのカスタム
定義を受信する、構成モジュールを含む。他の実施形態では、構成モジュールは、複数の
電子ディスプレイに関するディスプレイ設定を維持するディスプレイ管理サーバまたはコ
ントローラから、ネットワークを介してカスタム定義を受信する。さらに他の実施形態で
は、構成モジュールは、ディスプレイ・データ・チャネル（「ＤＤＣ」）Inter-Integrated Circuit（「Ｉ２Ｃ」）通信バス、ユニバーサル・シリアル・バス（「ＵＳＢ」）、または他の同様のデータ通信手段を介して、カスタム定義を受信する。
【００１１】
一実施形態では、装置は、電子ディスプレイの輝度レベルを中間輝度レベルから１つまたは複数の追加の中間輝度レベルへとある減光率で減光し、電子ディスプレイの輝度レベ
ルを１つまたは複数の事前定義期間の間それぞれの追加の中間輝度レベルで維持する、複
数プラトー・モジュールを含む。他の実施形態では、装置は、電子ディスプレイの輝度レベルを最高の通常使用輝度レベルよりも高い輝度レベルに一時的に設定する、輝度オーバーライド・モード・モジュールを含む。
【００１２】
他の実施形態では、輝度減衰モジュールは、活動モジュールが電子ディスプレイの輝度
レベルをデフォルト輝度レベルへと設定することに応答して、ほぼ即時に、電子ディスプレイの輝度レベルをデフォルト輝度レベルから中間輝度レベルへと減光することを開始する。他の実施形態では、輝度減衰モジュールは、電子ディスプレイの輝度レベルをデフォ
ルト輝度レベルに設定する活動モジュールの電子ディスプレイの輝度レベルの減光を、何
らかの所定の時間間隔以内、たとえば約１０秒以内に開始する。
【００１３】
一例では、活動モジュールは、ユーザ入力デバイスから輝度復元信号を受信する。他の
例では、ユーザ入力デバイスは電子ディスプレイのハウジング上に配設される。他の例で
は、電子ディスプレイの輝度レベルを減光することは、ユーザが知覚できない離散的増分
で電子ディスプレイの輝度レベルを減光することを含む。他の例では、第１の減光率および第２の減光率は非線形減光率を含む。他の例では、第１の減光率の勾配は、電子ディス
プレイの輝度レベルが中間輝度レベルに近付くにつれて増加し、第２の減光率の勾配は、
電子ディスプレイの輝度レベルが最低輝度レベルに近付くにつれて減少する。
【００１４】
一実施形態では、電子ディスプレイは最低輝度レベルでオフになる。他の実施形態では、中間輝度レベルは、表示される画像をユーザが識別できる、可視輝度レベルを含む。
【００１５】
電子ディスプレイを制御するための、本発明の他の好ましい実施形態も提示される。こ
の装置は、ディスプレイ・データ・チャネル（「ＤＤＣ」）Inter-Integrated Circuit（
「Ｉ２Ｃ」）通信バス、ＵＳＢ、または他の同様のデータ通信手段を通じたディスプレイ
管理サーバまたはコントローラから、ネットワークを介して、デフォルト輝度レベル、中
間輝度レベル、事前定義期間、第１の減光率、第２の減光率、および最低輝度レベルのう
ちの、少なくとも１つのカスタム定義を受信する、構成モジュールを含むことが可能であり、ディスプレイ管理サーバまたはコントローラは、複数の電子ディスプレイに関するディスプレイ設定を管理する。装置は、ユーザ入力デバイスから輝度復元信号を受信し、この輝度復元信号に応答して電子ディスプレイの輝度レベルをデフォルト輝度レベルに設定
する、活動モジュールを含む。
【００１６】
装置は、電子ディスプレイの輝度レベルをデフォルト輝度レベルから中間輝度レベルへ
と第１の減光率で減光する輝度減衰モジュールを含み、中間輝度レベルは１つまたは複数
の中間輝度レベルから選択される。装置は、電子ディスプレイの輝度レベルを中間輝度レベルで事前定義期間の間維持する、プラトー・モジュールと、電子ディスプレイの輝度レベルを中間輝度レベルから最低輝度レベルへと第２の減光率で減光する、最低輝度モジュールとを含む。
【００１７】
他の態様から見ると、本発明は、電子ディスプレイを制御するためのシステムを提供す
る。システムは、調整可能な輝度レベルを有する電子ディスプレイ、および電子ディスプ
レイの輝度レベルを設定するディスプレイ・コントローラによって、具体化可能である。
ディスプレイ・コントローラは、輝度復元信号を受信し、輝度復元信号に応答して、電子
ディスプレイの輝度レベルをデフォルト輝度レベルに設定する、活動モジュールを含むことができる。ディスプレイ・コントローラは、電子ディスプレイの輝度レベルをデフォル
ト輝度レベルから中間輝度レベルへと第１の減光率で減光する、輝度減衰モジュールを含
むことが可能であり、中間輝度レベルは、１つまたは複数の中間輝度レベルから選択され
る。
【００１８】
ディスプレイ・コントローラは、電子ディスプレイの輝度レベルを中間輝度レベルで事
前定義期間の間維持する、プラトー・モジュールを含むことができる。ディスプレイ・コ
ントローラは、電子ディスプレイの輝度レベルを中間輝度レベルから最低輝度レベルへと
第２の減光率で減光する、最低輝度モジュールを含むことができる。
【００１９】
一実施形態では、電子ディスプレイは調整可能な輝度レベルを有する。他の実施形態で
は、ディスプレイ・コントローラは電子ディスプレイの輝度レベルを設定する。他の実施
形態では、ディスプレイ・コントローラは、前述の活動モジュール、輝度減衰モジュール、プラトー・モジュール、および最低輝度モジュールを備える。
【００２０】
他の実施形態では、システムは、電子ディスプレイに関して、および複数の追加の電子
ディスプレイに関して、ディスプレイ設定を管理する、ディスプレイ管理サーバを含む。
一実施形態では、ディスプレイ管理サーバは、中間輝度レベル、デフォルト輝度レベル、
事前定義期間、第１の減光率、第２の減光率、および最低輝度レベルのうちの少なくとも
１つを、ネットワークを介して定義する。
【００２１】
他の態様から見ると、本発明は、電子ディスプレイを制御するための方法を提供する。
開示された諸実施形態では、この方法は、実質上、説明された装置およびシステムの動作
に関して上記で提示された諸機能を実施するために必要な諸ステップを含む。
【００２２】
特に一実施形態では、方法は、輝度復元信号を受信することを含む。他の実施形態では、方法は、輝度復元信号に応答して、電子ディスプレイの輝度レベルをデフォルト輝度レベルに設定することを含む。他の実施形態では、方法は、電子ディスプレイの輝度レベル
をデフォルト輝度レベルから中間輝度レベルへと第１の減光率で減光することを含む。一
実施形態では、中間輝度レベルは、１つまたは複数の中間輝度レベルから選択される。
【００２３】
一実施形態では、方法は、電子ディスプレイの輝度レベルを中間輝度レベルで事前定義
期間の間維持することを含む。他の実施形態では、方法は、電子ディスプレイの輝度レベ
ルを中間輝度レベルから最低輝度レベルへと第２の減光率で減光することを含む。他の実
施形態では、方法は、電子ディスプレイの輝度レベルを中間輝度レベルから第２の中間輝
度レベルへと減光するステップと、電子ディスプレイの輝度レベルを第２の事前定義期間の間第２の中間輝度レベルで維持するステップとを含む。
【００２４】
本明細書全体を通じた機能、利点、または同様の用語についての言及は、本発明によって実現可能な特徴および利点のすべてが、本発明のいずれかの単一の実施形態にあるはず、またはあることを示唆するものではない。むしろ、機能および利点に言及する用語は、
実施形態と共に説明された特定の機能、利点、または特徴が、本発明の少なくとも１つの
実施形態に含められることを意味することを理解されよう。したがって、本明細書全体を
通じた機能および利点ならびに同様の用語の考察は、同じ実施形態について言及している
可能性があるが、その限りではない。
【００２５】
さらに、説明された本発明の機能、利点、および特徴は、１つまたは複数の実施形態に
おいて任意の好適な様式で組み合わせることができる。当業者であれば、本発明が、特定
の実施形態の特定の機能または利点のうちの１つまたは複数がない状態で実施可能である
ことを理解されよう。他の例では、ある実施形態において、本発明のすべての実施形態で
存在するとは限らない、追加の機能および利点を理解することができる。
【００２６】
本発明のこれらの機能および利点については、以下の説明および添付の特許請求の範囲
からより完全に明らかとなるか、または以下で示される本発明の実施によって習得することができる。
【００２７】
次に、本発明について、以下の図面に示されるような好ましい諸実施形態を参照しながら単なる例として説明する。
【図面の簡単な説明】
【００２８】
【図１】本発明に従った、電子ディスプレイを制御するためのシステムの一実施形態を示す概略ブロック図である。
【図２】本発明の好ましい実施形態が内部に実装可能な、ディスプレイ・コントローラの一実施形態を示す概略ブロック図である。
【図３】本発明の好ましい実施形態に従った、ディスプレイ・コントローラの他の実施形態を示す概略ブロック図である。
【図４】本発明の好ましい実施形態に従った、電子ディスプレイの輝度レベルの一実施形態を示す概略グラフである。
【図５】本発明の好ましい実施形態に従った、電子ディスプレイの輝度レベルの他の実施形態を示す概略グラフである。
【図６】本発明の好ましい実施形態に従った、電子ディスプレイを制御するための方法の一実施形態を示す概略流れ図である。
【図７】本発明の好ましい実施形態に従った、電子ディスプレイを制御するための方法の他の実施形態を示す概略流れ図である。
【発明を実施するための形態】
【００２９】
本明細書で説明される多くの機能ユニットは、とりわけ、その実装の独立性を強調する
ために、モジュールとしてラベル表示されている。たとえばモジュールは、超大規模集積
（ＶＬＳＩ）回路またはゲート・アレイ、論理チップなどの既製の半導体、トランジスタ、または他の個別コンポーネントを備える、ハードウェア回路として実装可能である。モ
ジュールは、フィールド・プログラマブル・ゲート・アレイ、プログラマブル・アレイ論
理、プログラマブル論理デバイスなどの、プログラマブル・ハードウェア・デバイス内に
実装することもできる。
【００３０】
モジュールは、様々なタイプのプロセッサによって実行するためのソフトウェア内に実
装することもできる。たとえば、実行可能コードの識別されるモジュールは、たとえばオ
ブジェクト、プロシージャ、または関数として編成可能な、コンピュータ命令の１つまた
は複数の物理または論理ブロックを備えることができる。しかしながら、識別されるモジ
ュールの実行可能コードは、物理的にまとめて配置されるとは限らないが、論理的に結合
された場合、モジュールを備え、モジュールの目的を達成する、異なる場所に格納された
異なる命令を備えることができる。
【００３１】
実際に、実行可能コードのモジュールは、単一の命令または多数の命令とすることが可
能であり、異なるプログラムの中でもいくつかの異なるコード・セグメントを介して、いくつかのメモリ・デバイスにまたがって分散させることも可能である。同様に、本明細書
では、演算データをモジュール内に識別および図示することが可能であり、任意の好適な
形で具体化し、任意の好適なタイプのデータ構造内に編成することが可能である。演算データは、単一のデータ・セットとして集めること、または、異なるストレージ・デバイス
全体にわたることを含む異なる場所にわたって分散させることが可能であり、少なくとも
部分的に、システムまたはネットワーク上に単なる電子信号として存在することが可能で
ある。モジュールまたはモジュールの一部がソフトウェア内に実装される場合、そのソフ
トウェア部分は、１つまたは複数のコンピュータ読み取り可能媒体上に格納される。
【００３２】
本明細書全体を通じて「一実施形態」、「ある実施形態」、または同様の用語について
の言及は、その実施形態に関連して説明される特定の機能、構造、または特徴が、本発明
の少なくとも１つの実施形態に含まれることを意味する。したがって、本明細書全体を通
じて「一実施形態では」、「ある実施形態では」、および同様の用語の句が出現した場合
、すべてが同じ実施形態について言及している可能性があるが、その限りではない。
【００３３】
コンピュータ読み取り可能媒体についての言及は、マシン読み取り可能命令をデジタル
処理装置上に格納することが可能な任意の形を取ることができる。コンピュータ読み取り
可能媒体は、コンパクト・ディスク、デジタル・ビデオ・ディスク、磁気テープ、ベルヌ
ーイ・ドライブ、磁気ディスク、パンチ・カード、フラッシュ・メモリ、集積回路、また
は他のデジタル処理装置メモリ・デバイスによって、具体化することができる。
【００３４】
さらに、説明される本発明の機能、構造、または特徴は、１つまたは複数の実施形態に
おいて、任意の好適な様式で組み合わせることができる。以下の説明では、本発明の諸実
施形態を完全に理解するために、プログラミング例、ソフトウェア・モジュール、ユーザ
選択、ネットワーク・トランザクション、データベース照会、データベース構造、ハード
ウェア・モジュール、ハードウェア回路、ハードウェア・チップなどの、多数の特定の細
部が示されている。しかしながら当業者であれば、本発明が、特定の細部のうちの１つまたは複数がない状態でも、あるいは、他の方法、コンポーネント、材料などを使用して、
実施可能であることを理解されよう。他の例では、本発明の諸態様を不明瞭にしないため
に、良く知られた構造、材料、または動作については詳細に図示または説明していない。
【００３５】
本明細書に含まれる概略流れ図は、一般に、論理流れ図として示されている。したがって、示された順序およびラベル付けされたステップは、本方法の一実施形態を示すもので
ある。例示された方法の１つまたは複数のステップに対する機能、論理、または効果、あるいはその一部と等価の、他のステップおよび方法が考案できるであろう。加えて、採用
されたフォーマットおよび記号は、方法の論理ステップを説明するために与えられたもの
であり、方法の範囲を制限するものではないことが理解されよう。流れ図では様々なタイ
プの矢印および線が使用されているが、対応する方法の範囲を制限するものではないこと
が理解されよう。実際に、方法の論理流れのみを示すために、いくつかの矢印または他の
連結記号を使用することができる。たとえば矢印は、示された方法の列挙されたステップ
間の指定されていない持続期間の待機または監視期間を示すことができる。加えて、特定
の方法が実行される順番は、示された対応する諸ステップの順番を厳密に守ること、また
は守らないことが可能である。
【００３６】
図１は、電子ディスプレイを制御するためのシステム１００の一実施形態を示す。一般
にシステム１００は、電力消費を最小限にするため、および電子ディスプレイの寿命を延ばすために、電子ディスプレイの輝度レベルを制御する。示された実施形態では、システ
ム１００は、以下で説明する、ディスプレイ管理サーバ１０２、１つまたは複数のディス
プレイ・コントローラ１０４、１つまたは複数の電子ディスプレイ１０６、１つまたは複数のコンピューティング・デバイス１０８、１つまたは複数のユーザ入力デバイス１１０、および１つまたは複数のディスプレイ接続１１２を備える。
【００３７】
一実施形態では、ディスプレイ管理サーバ１０２は、１つまたは複数のディスプレイ・
コントローラ１０４に関するディスプレイ設定を管理する。ディスプレイ設定については、ディスプレイ・コントローラ１０４に関して以下でより詳細に説明する。一般に、ディスプレイ設定は、輝度レベル、コントラスト・レベル、カラー設定、リフレッシュ率、解
像度、時間枠、減光率などの、ディスプレイ・パラメータの定義を含む。ディスプレイ管
理サーバ１０２は、一実施形態では、コントローラ、コンピューティング・デバイスなど
を備えることができる。他の実施形態では、ディスプレイ管理サーバ１０２は、１つまた
は複数のディスプレイ・コントローラ１０４のうちの１つ、１つまたは複数のコンピューティング・デバイス１０８のうちの１つなどと、一体型にすることができる。他の実施形
態では、ディスプレイ管理サーバ１０２は独立型デバイスを備える。
【００３８】
ディスプレイ管理サーバ１０２は、一実施形態では、１つまたは複数の電子ディスプレイ１０４を含む複数の電子ディスプレイに関するディスプレイ設定を格納する、ネットワーク・サーバ・コンピューティング・デバイスを備える。ディスプレイ管理サーバ１０２
は、各電子ディスプレイに関するディスプレイ設定を独立して格納すること、または、複
数の電子ディスプレイに関する均一設定の単一セットを格納することが可能である。ディスプレイ管理サーバ１０２は、ネットワークを介して１つまたは複数のディスプレイ・コ
ントローラ１０４と通信可能である。ネットワークは、ローカル・エリア・ネットワーク
（「ＬＡＮ」）、インターネットなどのデータ・ネットワーク、あるいは、１つまたは複数のディスプレイ接続１１２などの通信バスを使用してローカル・デバイスを接続するデバイス・ネットワークを含むことができる。ディスプレイ管理サーバ１０２は、一実施形態では、ネットワークを介して１つまたは複数のコンピューティング・デバイス１０８に設定定義を提供し、１つまたは複数のコンピューティング・デバイス１０８は、１つまたは複数のディスプレイ接続１１２を介して１つまたは複数のディスプレイ・コントローラ１０４に設定定義を提供する。
【００３９】
一実施形態では、１つまたは複数のディスプレイ・コントローラ１０４は、１つまたは
複数の電子ディスプレイ１０６の輝度レベルを設定する。１つまたは複数のディスプレイ
・コントローラ１０４については、図２および図３のディスプレイ・コントローラ１０４
に関連してより詳細に考察する。一般に、各ディスプレイ・コントローラ１０４は、電子
ディスプレイ１０６の輝度レベルをデフォルト輝度レベルに設定すること、輝度レベルを
デフォルト輝度レベルから中間輝度レベルへと第１の減光率で減光すること、輝度レベル
を中間輝度レベルで事前定義期間の間維持すること、および、輝度レベルを第２の減光率
で最低輝度レベルまで減光することによって、電子ディスプレイ１０６のうちの１つを制
御する。さらに各ディスプレイ・コントローラ１０４は、輝度復元信号に応答して、輝度
レベルをデフォルト輝度レベルに戻すことができる。
【００４０】
１つまたは複数のディスプレイ・コントローラ１０４は、他の実施形態では、中間輝度
レベル、デフォルト輝度レベル、事前定義期間、第１の減光率、第２の減光率、および最
低輝度レベルのうちの、１つまたは複数に関するカスタム定義を受信することができる。
カスタム・ディスプレイ設定定義は、１つまたは複数の電子ディスプレイそれぞれを、ユ
ーザ・プリファレンス、使用環境、管理決定事項、または他の要素に基づいてカスタマイ
ズすることができる。１つまたは複数のディスプレイ・コントローラ１０４は、ディスプ
レイ管理サーバ１０２から、ユーザから、１つまたは複数のコンピューティング・デバイ
ス１０８から、他のモジュールなどから、カスタム定義を受信することができる。
【００４１】
さらに１つまたは複数のディスプレイ・コントローラ１０４は、ディスプレイ設定、１
つまたは複数のコンピューティング・デバイス１０８との通信、ディスプレイ信号のコン
テンツの表示、ユーザ信号などの、１つまたは複数の電子ディスプレイ１０６の他の諸態
様を、制御または管理することができる。１つまたは複数のディスプレイ・コントローラ
１０４は、ハードウェア・コントローラ、プロセッサ、論理デバイス、プログラマブル・
ハードウェア・デバイス、ソフトウェア・コード、あるいは他のディスプレイ制御論理、
またはそれらすべてを、備えることができる。１つまたは複数のディスプレイ・コントローラ１０４は、それぞれ、電子ディスプレイ・デバイス１０６のうちの１つに組み込むこと、コンピューティング・デバイス１０８のうちの１つと一体型にすること、あるいは、
それ以外の方法で電子ディスプレイ１０６のうちの１つまたは複数と通信することが可能
である。
【００４２】
一実施形態では、１つまたは複数の電子ディスプレイ１０６は、調整可能な輝度レベル
で、アナログあるいはデジタルまたはその両方のディスプレイ信号を表示することが可能
な、電動ディスプレイ・デバイスである。こうしたディスプレイの例には、陰極線管（「
ＣＲＴ」）ディスプレイ、液晶ダイオード（「ＬＣＤ」）ディスプレイ、発光ダイオード
（「ＬＥＤ」）ディスプレイ、有機ＬＥＤ（「ＯＬＥＤ」）ディスプレイ、プラズマ・デ
ィスプレイ、表面伝導型電子放出素子使用ディスプレイ（「ＳＥＤ」）、レーザ・ビデオ
・ディスプレイ、バックライト付き電子ペーパ・ディスプレイ、プロジェクション・ディ
スプレイ、および調整可能な輝度レベルを有する他のディスプレイが含まれる。一実施形
態では、１つまたは複数の電子ディスプレイ１０６の電力消費は、輝度レベルが低下する
につれて低下する。
【００４３】
１つまたは複数の電子ディスプレイ１０６のそれぞれの輝度レベルは、輝度レベルの範
囲全体に渡って連続して調整可能であるか、または、離散的輝度レベル・セットを通じて
調整可能である。一実施形態では、離散的輝度レベル・セットにおける各輝度レベルは、
隣接する輝度レベルとほとんど見分けることができない。１つまたは複数の電子ディスプ
レイ１０６のそれぞれは、ディスプレイ・コントローラ１０４がアクセス可能な輝度レベ
ルを設定するための制御を有することが可能であり、それによって、ディスプレイ・コン
トローラ１０４による動的な輝度レベル制御が可能になる。
【００４４】
一実施形態では、１つまたは複数のコンピューティング・デバイス１０８のそれぞれが
、電子ディスプレイ１０６にディスプレイ信号を送信する。各電子ディスプレイ１０６は
、コンピューティング・デバイス１０８からのディスプレイ信号のコンテンツを視覚的に
表示することができる。１つまたは複数のコンピューティング・デバイス１０８は、パー
ソナル・コンピュータ、小売店向けキャッシュ・レジスタ・デバイス、テレビ・チューナ
・デバイス、ビデオ・プレーヤ・デバイス、ゲーム・システム、または電子ディスプレイ
１０６にディスプレイ信号を送ることが可能な他のデバイスを含むことができる。一実施
形態では、電子ディスプレイ１０６は、単一ユニットとしてコンピューティング・デバイ
ス１０８と一体型にされる。
【００４５】
１つまたは複数のコンピューティング・デバイス１０８は、他の実施形態では、１つまたは複数のディスプレイ・コントローラ１０４にディスプレイ設定およびカスタム定義を
提供することができる。１つまたは複数のコンピューティング・デバイス１０８は、ネッ
トワークを介してディスプレイ管理サーバ１０２と通信すること、およびディスプレイ管
理サーバ１０２からディスプレイ設定およびカスタム定義を受信することが可能であるか、あるいは、１つまたは複数のコンピューティング・デバイス１０８は、ユーザ、他のモ
ジュールなどからディスプレイ設定およびカスタム定義を受信することが可能である。他
の実施形態では、ディスプレイ管理サーバ１０２は、１つまたは複数のコンピューティン
グ・デバイス１０８のうちの１つにインストールするか、あるいは他の方法でこれと一体
型にすることができる。他の実施形態では、１つまたは複数のコンピューティング・デバ
イス１０８は、１つまたは複数のディスプレイ・コントローラ１０４に輝度復元信号を提
供することができる。
【００４６】
一実施形態では、１つまたは複数のユーザ入力デバイス１１０はユーザから入力を受け
取る。１つまたは複数のユーザ入力デバイス１１０は、１つまたは複数のコンピューティ
ング・デバイス１０８と通信するか、あるいは、１つまたは複数の電子ディスプレイ１０
６あるいは１つまたは複数のディスプレイ・コントローラ１０４と直接通信することがで
きる。１つまたは複数のユーザ入力デバイス１１０は、一実施形態では、キーボード、キ
ーパッド、ボタン、マウス、タッチ画面、タッチパッド、ダイヤル、スイッチ、磁気スト
ライプ・リーダ、バーコード・スキャナなどのデバイスを備えることができる。一実施形
態では、ユーザ入力デバイス１１０は、輝度リフレッシュ信号をトリガし、オン・スクリ
ーン・ディスプレイ（「ＯＳＤ」）ナビゲーション制御を提供し、ディスプレイ設定を設
定することなどが可能な、ボタン、ダイヤル、スイッチなどの電子ディスプレイ１０６の
ハウジング上に配設される。
【００４７】
一実施形態では、１つまたは複数のユーザ入力デバイス１１０は、カスタム定義などの
ディスプレイ設定をユーザから受信し、ディスプレイ設定を、１つまたは複数のコンピューティング・デバイス１０８あるいは１つまたは複数のディスプレイ・コントローラ１０
４、またはその両方に提供することができる。他の実施形態では、１つまたは複数のユー
ザ入力デバイス１１０は、輝度復元信号を１つまたは複数のコンピューティング・デバイ
ス１０８、あるいは１つまたは複数のディスプレイ・コントローラ１０４、またはその両
方に提供する。１つまたは複数のユーザ入力デバイス１１０は、移動、キー押し下げ、カード読み取り、スキャンなどの、ユーザからの入力の受信に応答して、輝度復元信号を提
供することができる。他の実施形態では、１つまたは複数のユーザ入力デバイス１１０は、ユーザの存在または動きを検出し、その存在、動きなどに応答して輝度復元信号を提供する、センサ、カメラなどを備えることができる。
【００４８】
１つまたは複数のコンピューティング・デバイス１０８は、一実施形態では、１つまた
は複数のディスプレイ接続１１２を介して、１つまたは複数の電子ディスプレイ１０６と
通信する。１つまたは複数のディスプレイ接続１１２は、それぞれ、コンピューティング
・デバイス１０８と電子ディスプレイ１０６との間で信号を伝送する。１つまたは複数の
ディスプレイ接続１１２は、アナログ・ディスプレイ信号、デジタル・ディスプレイ信号、ディスプレイ設定およびカスタム定義などのデータ、輝度復元信号などを伝送すること
ができる。
【００４９】
１つまたは複数のディスプレイ接続１１２は、一実施形態では、ビデオ・グラフィクス
・アレイ（「ＶＧＡ」）接続、デジタル・ビデオ・インターフェース（「ＤＶＩ」）接続、高解像度マルチメディア・インターフェース（「ＨＤＭＩ（登録商標）」）接続、コンポーネント・ビデオ接続、コンポジット・ビデオ接続、同軸ビデオ接続、ディスプレイ・ポート接続、Ｓビデオ接続、ＳＣＡＲＴ接続、Ｄターミナル接続などの、ビデオ接続を含むことができる。他の実施形態では、１つまたは複数のディスプレイ接続は、シリアル・ポート接続、ユニバーサル・シリアル・バス（「ＵＳＢ」）接続、ＩＥＥＥ  １３９４（「FireWire」）接続、Ethernet（登録商標）接続、Bluetooth（登録商標）接続、ＩＥＥＥ  ８０２．１１無線接続などの、データ接続を含むことができる。一実施形態では、１つまたは複数のディスプレイ接続１１２は、ディスプレイ・データ・チャネル（「ＤＤＣ」）Inter-Integrated Circuit（「Ｉ２Ｃ」）通信バスまたは他のデータ・チャネル接続などの、データ・チャネルとのビデオ接続を含む。当業者であれば、他のディスプレイ接続１１２を理解されよう。
【００５０】
図２は、ディスプレイ・コントローラ１０４の一実施形態を示す。前述のように、一般
にディスプレイ・コントローラ１０４は、電子ディスプレイ１０６の輝度レベルを制御す
る。示された実施形態では、ディスプレイ・コントローラ１０４は、活動モジュール２０
２、輝度減衰モジュール２０４、プラトー・モジュール２０６、および最低輝度モジュール２０８を備える。
【００５１】
一実施形態では、活動モジュール２０２は輝度復元信号を受信する。活動モジュール２
０２は、コンピューティング・デバイス１０８から、ユーザ入力デバイス１１０から、動
きセンサ、熱センサ、または存在センサなどのセンサから、カメラなどから、輝度復元信
号を受信することができる。活動モジュール２０２は、ユーザの動作に応答して、ビデオ
再生、広告などの電子ディスプレイ１０６の事前に定義された使用に応答して、あるいは、他の輝度復元シナリオに応答して、輝度復元信号を受信することができる。活動モジュール２０２は、輝度復元信号の受信を示すハードウェアまたはソフトウェアの割り込みを
受信すること、輝度復元信号の受信を示すレジスタまたはデータ構造をポーリングすること、あるいは、その他の方法で輝度復元信号を検出することが可能である。
【００５２】
活動モジュール２０２は、一実施形態では、輝度復元信号の受信に応答して、電子ディスプレイ１０６の輝度レベルをデフォルト輝度レベルに設定する。デフォルト輝度レベル
は、ディスプレイ管理サーバ１０２によって、ユーザによって、コンピューティング・デ
バイス１０８によって、電子ディスプレイ１０６の製造業者によって、他のモジュールなどによって、定義することができる。デフォルト輝度レベルは、製造業者などによって設
定される最高通常使用輝度レベル、または、最高通常使用輝度レベルよりも低いカスタム
・デフォルト輝度レベルを含むことができる。たとえば、電子ディスプレイ１０６のユー
ザまたは管理者は、電子ディスプレイ１０６により電力消費を削減するために、デフォル
ト輝度レベルを最高通常使用輝度レベルよりも低いレベルに設定することができる。
【００５３】
一実施形態では、輝度減衰モジュール２０４は、電子ディスプレイ１０６の輝度レベル
を、デフォルト輝度レベルから中間輝度レベルへと第１の減光率で減光する。輝度減衰モ
ジュール２０４は、他の実施形態では、活動モジュール２０２が電子ディスプレイの輝度
レベルをデフォルト輝度レベルへと設定することに応答して、ほぼ即時に、電子ディスプレイ１０６の輝度レベルを減光することを開始する。
【００５４】
一実施形態では、活動モジュール２０２が輝度レベルをデフォルト輝度レベルに設定する時間と、輝度減衰モジュール２０４が輝度レベルの減光を開始する時間との間には、わずかな遅延があるか、まったく遅延がない。他の実施形態では、輝度減衰モジュール２０
４は、輝度レベルをデフォルト輝度レベルに設定する活動モジュール２０２の輝度レベル
の減光を、所定の期間内、たとえば約１０秒以内に開始する。輝度レベルの減光を待機するのではなく、ほぼ即時に開始することによって、輝度減衰モジュール２０４は、電子ディスプレイ１０６の電力消費を削減する。
【００５５】
輝度減衰モジュール２０４が使用する第１の減光は、線形減光率または非線形減光率を
含むことができる。非線形減光率は、放物線率、指数関数率、ステッピング率などを含む
ことができる。たとえば一実施形態では、第１の減光率の勾配は、電子ディスプレイの輝
度レベルが中間輝度レベルに近付くにつれて増加し、これによって輝度レベルは、中間輝
度レベルに近付くにつれて加速して減光する。一実施形態では、輝度減衰モジュール２０
４は第１の減光率での離散的増分で減光する。この離散的増分は、ほとんどユーザが知覚
できない可能性がある。
【００５６】
一実施形態では、１つまたは複数の中間輝度レベルから中間輝度レベルが選択される。
前述のように、中間輝度レベルおよび第１の減光率は、ディスプレイ管理サーバ１０２、
ユーザなどによってカスタム定義することができる。一実施形態では、中間輝度レベルは、電子ディスプレイ１０６が表示する画像をユーザが識別できることを意味する、可視輝度レベルを含む。
【００５７】
一実施形態では、プラトー・モジュール２０６は電子ディスプレイ１０６の輝度レベル
を事前定義期間の間中間輝度レベルで維持する。前述のように、事前定義期間は、ディス
プレイ管理サーバ１０２、ユーザなどによって、カスタム定義することができる。一実施
形態では、中間輝度レベルは可視輝度レベルを含み、ユーザは事前定義期間中、電子ディスプレイ１０６を連続して見ること、および使用することができる。中間輝度レベルはデフォルト輝度レベルよりも低いため、電子ディスプレイ１０６は、デフォルト輝度レベル
にある時よりも中間輝度レベルにある時の方が消費電力は少ない。
【００５８】
他の実施形態では、プラトー・モジュール２０６は輝度リリース信号を受信した後、事
前定義期間の間輝度レベルを中間輝度レベルで維持するため、結果として事前定義期間の
実行は、プラトー・モジュール２０６の輝度リリース信号の受信に応答して開始される。
輝度復元信号は事前定義されたユーザ活動を示すが、一実施形態では、輝度リリース信号
はユーザ活動がないこと、すなわち電子ディスプレイがもはや使用されていないことなど
を示す。１つまたは複数のコンピューティング・デバイス１０８などのコンピューティン
グ・デバイス、ディスプレイ・コントローラ１０４などのコントローラなどは、輝度リリース信号を生成することができる。一実施形態では、デバイスは、ある期間の間１つまたは複数のユーザ活動がないことに応答して、または事前定義されたユーザ動作などに応答して、輝度リリース信号を生成する。このようにして、電子ディスプレイ１０６の輝度レベルは、通常の使用中、中間輝度レベルを維持し、特定のユーザ活動に応答してデフォルト輝度レベルへと上昇する。
【００５９】
一実施形態では、最低輝度モジュール２０８は、電子ディスプレイ１０６の輝度レベル
を中間輝度レベルから最低輝度レベルへと第２の減光率で減光する。最低輝度モジュール
２０８が輝度レベルの減光を開始する中間輝度レベルは、プラトー・モジュールが輝度レベルを維持する中間輝度レベルと同じであるものとすることが可能であるか、または、図
３の複数プラトー・モジュール３０６に関連して以下でより詳細に論じるように、１つまたは複数の中間輝度レベルから選択された異なる中間輝度レベルを含むことが可能である。
【００６０】
最低輝度レベルは、前述のように、ディスプレイ管理サーバ１０２によって、またはユーザなどによって、カスタム定義することができる。最低輝度レベルは、一実施形態では、電子ディスプレイ１０６、電子ディスプレイ１０６のバックライトなどがオフであるかまたは低電力状態であるレベルを含む。他の実施形態では、最低輝度レベルは、オフ・レベルよりは明るい輝度レベルを含むことが可能であり、結果として電子ディスプレイ１０６が表示する画像は最低限見えるが、ユーザはほぼ識別できないかまたは最低限識別できる。
【００６１】
図３は、ディスプレイ・コントローラ１０４の他の実施形態を示す。図３に示されたディスプレイ・コントローラ１０４は、活動モジュール２０２、輝度減衰モジュール２０４、プラトー・モジュール２０６、および最低輝度モジュール２０８を含み、これらは図２
のディスプレイ・コントローラ１０４に関して説明したものとほぼ同様である。ディスプ
レイ・コントローラ１０４は、構成モジュール３０２および輝度オーバーライド・モジュール３０４を含む。示された実施形態では、プラトー・モジュール２０６は複数プラトー
・モジュール３０６をさらに含む。
【００６２】
一実施形態では、ディスプレイ・コントローラは、中間輝度レベル、デフォルト輝度レベル、事前定義期間、第１の減光率、第２の減光率、最低輝度レベル、あるいは他のディスプレイ設定、またはそれらすべてのうちの、１つまたは複数のカスタム定義を受信する、構成モジュール３０２を含む。構成モジュール３０２は、ディスプレイ管理サーバ１０２から、ユーザ入力デバイス１１０のうちの１つを介してユーザから、コンピューティング・デバイス１０８のうちの１つから、または他のモジュールなどから、カスタム定義を受信することができる。他の実施形態では、構成モジュール３０２は、製造業者、プログラマなどによって設定されたデフォルト定義を使用することができる。
【００６３】
構成モジュール３０２は、ディスプレイ接続１１２を介して、ネットワークを介して、
またはユーザ入力デバイス１１０などから直接、カスタム定義を受信することができる。
１つまたは複数のディスプレイ接続１１２に関連して前述したように、ディスプレイ接続
１１２は、ＶＧＡ接続、ＤＶＩ接続、ＨＤＭＩ（登録商標）接続、コンポーネント・ビデオ接続、コンポジット・ビデオ接続、同軸ビデオ接続、ディスプレイ・ポート接続、Ｓビデオ接続、ＳＣＡＲＴ接続、Ｄターミナル接続、シリアル・ポート接続、ＵＳＢ接続、FireWire接続、Ethernet（登録商標）接続、Bluetooth（登録商標）接続、ＩＥＥＥ  ８０２．１１無線接続、ＤＤＣ  Ｉ２Ｃ通信バスなどを含むことができる。構成モジュール３０２は、活動モジュール２０２、輝度減衰モジュール２０４、プラトー・モジュール３０６、および最低輝度モジュール２０８に、カスタム定義を提供する。
【００６４】
一実施形態では、輝度オーバーライド・モジュール３０４は、電子ディスプレイ１０６
の輝度レベルを最高通常使用輝度レベルよりも高い輝度レベルに一時的に設定する。たとえば一実施形態では、輝度オーバーライド・モジュール３０４は、テスト用の異常に明るい使用状況の間などに、製造業者が設定した最高通常使用輝度レベルをユーザがオーバー
ライドできるようにすることができる。高い輝度レベルで電子ディスプレイ１０６を使用
することは、加速的に電子ディスプレイ１０６の耐用年限を減少させる可能性があり、通
常の状況下では推奨できない可能性がある。
【００６５】
輝度オーバーライド・モジュール３０４は、事前定義期間後に、ユーザ動作に応答して、または電子ディスプレイ１０６の再始動または電源オフなどに応答して、輝度レベルを通常の輝度レベルに戻すことができる。輝度オーバーライド・モジュール３０４は、一実施形態では、ＯＳＤからのメニュー選択などのユーザによる動作に応答してなど、輝度レベルをより高い輝度レベルに設定することができる。
【００６６】
一実施形態では、複数プラトー・モジュール３０６は、電子ディスプレイ１０６の輝度
レベルを中間輝度レベルから１つまたは複数の追加の中間輝度レベルへと、ある減光率で
減光する。複数プラトー・モジュール３０６は、１つまたは複数の事前定義期間の間、追
加の中間輝度レベルのそれぞれで電子ディスプレイ１０６の輝度レベルを維持する。前述
のように、プラトー・モジュール２０６は、プラトー・モジュール２０６が輝度リリース
信号を受信した後、事前定義期間の間などのように、事前定義期間の間、輝度レベルを中
間輝度レベルで維持する。
【００６７】
たとえば一実施形態では、プラトー・モジュール２０６は、事前定義期間の間、輝度レベルを中間輝度レベルで維持し、複数プラトー・モジュール３０６は、輝度レベルをある
中間輝度レベルから追加の中間輝度レベルへと減光し、事前定義期間の間そこで輝度レベ
ルを維持する。最低輝度モジュール２０８は、輝度レベルを追加の中間輝度レベルから最
低輝度レベルへと減光することができるか、または複数プラトー・モジュール３０６は、
第１に輝度レベルを他の追加の中間輝度レベルへと減光することができる。複数プラトー
・モジュール３０６は、最低輝度モジュール２０８が輝度レベルを最低輝度レベルへと減
光する前に、事前定義期間の間、輝度レベルを１つまたは複数のより低い輝度レベルで維
持できるようにする。
【００６８】
前述の他のディスプレイ設定と同様に、１つまたは複数の追加の中間輝度レベル、減光
率、および事前定義期間は、ディスプレイ管理サーバ１０２、ユーザ、製造業者などによって定義可能である。複数プラトーの中間輝度レベルを有することで、電子ディスプレイ１０６は、可視の使用可能な中間輝度レベルで維持した後、事前定義期間の間、少し見えにくいがより低電力の状態へと低下し、最後には、たとえばオフ状態とすることが可能な最低輝度レベルへと減光することができる。
【００６９】
図４は、線形減光率および複数の輝度レベル・プラトーを伴う、経時的な電子ディスプレイ１０６の輝度レベル４００の一実施形態を示す。示された実施形態では、Ｙ軸４０２
は電子ディスプレイ１０６の輝度レベルを表し、Ｘ軸４０４は時間を表す。輝度レベル４
００はデフォルト輝度レベル４０６から始まる。輝度減衰モジュール２０４は、輝度レベ
ル４００をデフォルト輝度レベル４０６から中間輝度レベル４０８へと第１の減光率４１
２で減光する。示された実施形態では、第１の減光率４１２は線形である。
【００７０】
プラトー・モジュール２０６は、事前定義期間４１４の間、輝度レベル４００を中間輝
度レベル４０８で維持する。複数プラトー・モジュール３０６は、輝度レベル４００を中
間輝度レベル４０８から追加の中間輝度レベル４１０へと減光率４１６で減光し、事前定
義期間４１８の間、輝度レベル４００を追加の中間輝度レベル４１０で維持する。減光率
４１６は、この示された実施形態では線形である。
【００７１】
最低輝度モジュール２０８は、輝度レベル４００を追加の中間輝度レベル４１０から最
低輝度レベルへと、Ｘ軸４０４に沿って第２の減光率４２０で減光する。示された実施形
態では、第２の減光率４２０も線形である。時点４２２で、活動モジュール２０２は輝度
復元信号を受信し、輝度レベル４００をデフォルト輝度レベル４０６に設定する。示され
た実施形態では、最低輝度レベル４０４はゼロであり、ここで電子ディスプレイ１０６は
オフであるが、最低輝度レベル４０４は何らかのより高いレベルとすることができる。活
動モジュール２０２が輝度レベル４００をデフォルト輝度レベル４０６に設定することに
応答して、輝度減衰モジュール２０４は、第１の減光率４１２での輝度レベル４００の減
光をほぼ即時に開始する。
【００７２】
輝度レベル４００とデフォルト輝度レベル４０６との間の領域は、輝度レベルをデフォ
ルト輝度レベル４０６で維持するのではなく、電子ディスプレイ１０６の輝度レベルを減
光することによって節約される電力を表す。この領域は、輝度レベルをデフォルト輝度レベル４０６で維持するよりも上回る、電子ディスプレイ１０６の耐用年限の増加を表すこともできる。
【００７３】
図５は、非線形減光率および単一の輝度レベル・プラトーを伴う、経時的な電子ディス
プレイ１０６の輝度レベル４５０の一実施形態を示す。輝度レベル４５０はデフォルト輝
度レベル４５２から始まる。輝度減衰モジュール２０４は、輝度レベル４５０をデフォル
ト輝度レベル４５２から中間輝度レベル４５４へと第１の減光率４５８で減光する。示された実施形態では、第１の減光率４５８は非線形であり、第１の減光率４５８の勾配は輝
度レベル４５０が中間輝度レベル４５４に近付くにつれて増加する。
【００７４】
プラトー・モジュール２０６は、事前定義期間４６０の間、中間輝度レベル４５４で輝
度レベル４５０を維持する。最低輝度モジュール２０８は、輝度レベル４５０を中間輝度
レベル４５４から最低輝度レベル４５６へと第２の減光率４６２で減光する。示された実
施形態では、第２の減光率４６２は非線形であり、第２の減光率４６２の勾配は、輝度レベル４５０が最低輝度レベル４５６に近付くにつれて減少する。
【００７５】
時点４６４で、活動モジュール２０２は輝度復元信号を受信し、輝度レベル４５０をデフォルト輝度レベル４５２に設定する。活動モジュール２０２が輝度レベル４５０をデフ
ォルト輝度レベル４５２に設定するのに応答して、輝度減衰モジュール２０４は、第１の
減光率４５８での輝度レベル４５０の減光をほぼ即時に開始する。
【００７６】
図６は、電子ディスプレイを制御するための方法５００の一実施形態を示す。方法５０
０が開始され、活動モジュール２０２は、電子ディスプレイ１０６の輝度レベルをデフォ
ルト輝度レベルに設定する（５０２）。活動モジュール２０２は、方法５００全体を通じ
て、輝度復元信号が存在するかどうかを判別する（５０４）。活動モジュール２０２が輝
度復元信号が存在するものと判別する（５０４）と、方法５００は設定ステップ５０２に
戻り、活動モジュール２０２は輝度レベルをデフォルト輝度レベルに設定する（５０２）。活動モジュール２０２が輝度復元信号が存在しないものと判別する（５０４）と、方法
５００は続行され、活動モジュール２０２は、方法５００が続行される間、輝度復元信号
が存在するかどうかの判別５０４を続行する。
【００７７】
輝度減衰モジュール２０４は、電子ディスプレイ１０６の輝度レベルを中間輝度レベルへと第１の輝度率で減光する（５０６）。中間輝度レベルは、１つまたは複数の中間輝度
レベルから選択することができる。プラトー・モジュール２０６は、電子ディスプレイ１
０６の輝度レベルを、輝度リリース信号受信後のある期間などの事前定義期間の間、中間
輝度レベルで維持する（５０８）。最低輝度モジュール２０８は、電子ディスプレイ１０
６の輝度レベルを中間輝度レベルから最低輝度レベルへと第２の減光率で減光し（５１０
）、方法５００は終了する。前述のように、活動モジュール２０２が方法５００中に、ハードウェアまたはソフトウェアの割り込み、ポーリングなどを介して、輝度復元信号が存
在するものと判別した場合（５０４）、活動モジュール２０２は方法５００を設定ステッ
プ５０２へと戻し、輝度レベルをデフォルト輝度レベルに設定する（５０２）。
【００７８】
図７は、複数の中間輝度レベルで複数の輝度レベル・プラトーを使用して電子ディスプレイを制御するための方法６００の一実施形態を示す。方法６００が開始され、構成モジ
ュール３０２は、中間輝度レベル、デフォルト輝度レベル、事前定義期間、減光率、最低
輝度レベルなどの、１つまたは複数の輝度制御パラメータまたはディスプレイ設定を定義
する。構成モジュール３０２は、ディスプレイ管理サーバ１０２から、ユーザから、コン
ピューティング・デバイス１０８から、または他のモジュールなどから、輝度制御パラメータのカスタム定義を受信することが可能であるか、あるいは構成モジュール３０２は、
デフォルト設定を使用することが可能である。
【００７９】
活動モジュール２０２は、電子ディスプレイ１０６の輝度レベルをデフォルト輝度レベ
ルに設定する（６０４）。活動モジュール２０２は、図５に関連して前述したように、方
法６００全体を通じて輝度復元信号が存在するかどうかを判別する（６０６）。活動モジュール２０２が輝度復元信号が存在するものと判別した場合（６０６）、方法６００は設
定ステップ６０４に戻り、活動モジュール２０２は輝度レベルをデフォルト輝度レベルに
設定する（６０４）。活動モジュール２０２が輝度復元信号が存在しないものと判別した
場合（６０６）、方法６００は続行され、活動モジュール２０２は、方法６００が続行される間、輝度復元信号が存在するかどうかの判別６０６を続行する。
【００８０】
輝度減衰モジュール２０４は、電子ディスプレイ１０６の輝度レベルを中間輝度レベルへと第１の減光率で減光する（６０８）。中間輝度レベルは、１つまたは複数の中間輝度
レベルから選択することができる。プラトー・モジュール２０６は、輝度リリース信号受
信後のある期間などの事前定義期間の間、電子ディスプレイ１０６の輝度レベルを中間輝
度レベルで維持する（６１０）。複数プラトー・モジュール３０６は、電子ディスプレイ
１０６の輝度レベルを追加の中間輝度レベルへとある減光率で減光し（６１２）、事前定
義期間の間、輝度レベルを追加の中間輝度レベルで維持する（６１４）。他の実施形態で
は、複数プラトー・モジュール３０６は、複数の追加の中間輝度レベルに対して減光ステ
ップ６１２および維持ステップ６１４を反復することができる。
【００８１】
最低輝度モジュール２０８は、複数プラトー・モジュール３０６によって設定された追
加の中間輝度レベルから最低輝度レベルへと第２の減光率で減光し（６１６）、方法６０
０は終了する。前述のように、活動モジュール２０２が、方法６００中に輝度復元信号が
存在するものと判別した場合（６０６）、活動モジュール２０２は方法６００を設定ステ
ップ６０４に戻し、輝度レベルをデフォルト輝度レベルに設定する（６０４）。
【００８２】
本発明は、その必須の特徴を逸脱することなく、他の特定の形で具体化することができ
る。説明された諸実施形態は、すべての点において単なる例示的なものであり、限定的な
ものではないとみなされる。したがって本発明の範囲は、前述の説明ではなく添付の特許
請求の範囲によって示される。特許請求の範囲と等価の意味および範囲内に入るすべての
変更は、それらの範囲内に包含されるものとする。
【図１】
0006055022.tif 000002
【図２】
0006055022.tif 000003
【図３】
0006055022.tif 000004
【図４】
0006055022.tif 000005
【図５】
0006055022.tif 000006
【図６】
0006055022.tif 000007
【図７】
0006055022.tif 000008